(57)【要約】【課題】検出した向きに基づいてディスプレイを調節するためのシステムおよび方法を提供する。【解決手段】検出した向きに基づいてディスプレイを調節するためのシステムおよび方法を本明細書に開示する。システムは、ディスプレイに関連する観察者の向きを検出するための方位検出器を含む。ディスプレイは、少なくとも第一のディスプレイおよび第二のディスプレイと、第一のディスプレイおよび第二のディスプレイのいずれかに出力するための情報を受信するための情報入力モジュールと、検出した向きに基づいて、情報を出力する第一のディスプレイおよび第二のディスプレイのいずれかを選択するためのディスプレイセレクタと、を含む。【選択図】図２
2015161947.tif 000002
【特許請求の範囲】
【請求項１】
ディスプレイを調節するための指示プログラムを保存するためのコンピュータ可読媒体を備えたデータストアと、
前記指示プログラムを実行するプロセッサと、
少なくとも第一のディスプレイおよび第二のディスプレイを含む前記ディスプレイに関連する観察者の向きを検出するための方位検出器と、
前記第一のディスプレイおよび前記第二のディスプレイのいずれかに出力するための情報を受信するための情報入力モジュールと、
前記検出した向きに基づいて、前記情報を出力する前記第一のディスプレイおよび前記第二のディスプレイのいずれかを選択するためのディスプレイセレクタと
を備えた、検出した向きに基づいてディスプレイを調節するためのシステム。
【請求項２】
前記情報を前記第一のディスプレイおよび前記第二のディスプレイのうちの前記選択された一つに伝送するためのディスプレイドライバをさらに備えた、請求項１に記載のシステム。
【請求項３】
前記ディスプレイドライバが、前記情報に関連する拡張された優先データに基づいて、前記情報を前記第一のディスプレイおよび前記第二のディスプレイのうちの前記選択された一つに伝送するか否かを選択する、請求項２に記載のシステム。
【請求項４】
前記ディスプレイドライバが、所定の閾値を上回る前記拡張された優先データに基づいて、前記情報を前記第一のディスプレイおよび前記第二のディスプレイのうちの前記選択された一つに伝送するか否かを選択する、請求項３に記載のシステム。
【請求項５】
前記方位検出器が注視追跡装置である、請求項１に記載のシステム。
【請求項６】
前記方位検出器が頭部追跡装置である、請求項１に記載のシステム。
【請求項７】
前記ディスプレイセレクタによって選択される第三のディスプレイをさらに備えた、請求項１に記載のシステム。
【請求項８】
前記第一のディスプレイおよび前記第二のディスプレイが車両に関連する、請求項１に記載のシステム。
【請求項９】
検出した向きに基づいてディスプレイを調節するためのプロセッサによって実施される方法であって、
少なくとも第一のディスプレイおよび第二のディスプレイを含む前記ディスプレイに関連する観察者の向きを検出することと、
前記第一のディスプレイおよび前記第二のディスプレイのいずれかに出力するための情報を受信することと、
前記検出した向きに基づいて、前記情報を出力する前記第一のディスプレイおよび前記第二のディスプレイのいずれかを選択することと
を含み、
前記検出、前記受信および前記選択の一つが、前記プロセッサによって実行される、方法。
【請求項１０】
前記情報を前記第一のディスプレイおよび前記第二のディスプレイのうちの前記選択された一つに伝送することをさらに含む、請求項９に記載の方法。
【請求項１１】
前記伝送が、前記情報に関連する拡張された優先データに基づいて、前記情報を前記第一のディスプレイおよび前記第二のディスプレイのうちの前記選択された一つに伝送するか否かを選択することをさらに含む、請求項１０に記載の方法。
【請求項１２】
前記伝送が、所定の閾値を上回る前記拡張された優先データに基づいて、前記情報を前記第一のディスプレイおよび前記第二のディスプレイのうちの前記選択された一つに伝送するか否かを選択することをさらに含む、請求項１１に記載の方法。
【請求項１３】
前記検出が注視追跡装置によって実行される、請求項９に記載の方法。
【請求項１４】
前記検出が頭部追跡装置によって実行される、請求項９に記載の方法。
【請求項１５】
前記選択に第三のディスプレイがさらに含まれる、請求項９に記載の方法。
【請求項１６】
前記第一のディスプレイおよび前記第二のディスプレイが車両に関連する、請求項９に記載の方法。
【請求項１７】
ディスプレイを調節するための指示プログラムを保存するためのコンピュータ可読媒体を備えたデータストアと、
前記指示プログラムを実行するプロセッサと、
前記ディスプレイに関連する観察者の距離を検出するための方位検出器と、
前記ディスプレイに出力する情報を受信する情報入力モジュールと、
前記検出された距離に基づいて、情報をレンダリングするディスプレイドライバと
を備えた、検出した向きに基づいてディスプレイを調節するためのシステム。
【請求項１８】
前記方位検出器が注視追跡装置である、請求項１７に記載のシステム。
【請求項１９】
前記方位検出器が頭部追跡装置である、請求項１７に記載のシステム。
【請求項２０】
車両に関連する、請求項１７に記載のシステム。
【発明の詳細な説明】
【技術分野】
【０００１】
本発明は、ディスプレイを調節するための技術分野に関する。
【背景技術】
【０００２】
電子システムの操作者は、電子システムと相互作用するために視覚的表示システムに関与できる。視覚的表示システムは、電子システムの状態を操作者に警告するグラフィカルユーザインターフェース（ＧＵＩ）要素などのさまざまな役割を含むことができる。ＧＵＩ要素は、文章でもよいし、任意の種類の情報の表示でもよい。操作者は、接触可能デバイスが提供される状況において視覚的表示システムと相互作用できる。
【０００３】
特定の場合では、電子システムに複数の視覚的表示システムを備え付けることができる。それ故に、複数の視覚的表示システムを、種々の位置に配置または情報を表示できるディスプレイに関連させることができる。
【０００４】
例えば、操作者が車両内に位置している場合（すなわち、車両の運転手または乗客である場合）には、操作者は、関与する複数の視覚的表示システムを有することができる。例えば、車両は、ダッシュボードの運転席もしくはヘッドアップディスプレイ（ＨＵＤ）に嵌め込まれた視覚的表示システム、またはミラーもしくは他の半透明表面を通して提供されたしるしを有することができる。従って、視覚的表示システムは、さまざまな位置に関する情報を表示できる。
【発明の概要】
【発明が解決しようとする課題】
【０００５】
近年、注視追跡または頭部追跡として公知のヒューマンインターフェース技術が実施された。注視および頭部追跡によって、電子システムは操作者の位置を検出できる。注視および頭部追跡は、画像または映像取得装置によって操作者の頭部または眼球を監視し、それに応じて、その運動および位置を命令に変えて電子システムを制御する。基本的に、頭部および眼球は、さまざまな制御および命令を動作させるために利用されるポインティングデバイスとなる。インターフェースがより精巧であれば、操作者は、手とは独立して電子システムまたは視覚的表示システムに関与できる。車両の運転などの特定の状況では、操作者の手はハンドルについたままであるため、操作者は、より安全かつより好都合な運転環境を体験できる。
【課題を解決するための手段】
【０００６】
検出した向きに基づいてディスプレイを調節するためのシステムおよび方法を本明細書に開示する。システムは、ディスプレイに関連する観察者の向きを検出するための方位検出器を含む。ディスプレイは、少なくとも第一のディスプレイおよび第二のディスプレイと、第一のディスプレイまたは第二のディスプレイのいずれかに出力するための情報を受信するための情報入力モジュールと、検出した向きに基づいて、情報を出力する第一のディスプレイまたは第二のディスプレイのいずれかを選択するためのディスプレイセレクタと、を含む。
【０００７】
詳細な説明は、同様の数字が同様の部材を指す以下の図面を参照する。
【図面の簡単な説明】
【０００８】
【図１】例示のコンピュータを図示するブロック図である。
【図２】検出した向きに基づいてディスプレイを調節するためのシステムの例である。
【図３】検出した向きに基づいてディスプレイを調節するための方法の例である。
【図４Ａ】図２のシステムおよび図３の方法の実施例である。
【図４Ｂ】図２のシステムおよび図３の方法の実施例である。
【図４Ｃ】図２のシステムおよび図３の方法の実施例である。
【図５Ａ】図２のシステムおよび図３の方法の別の実施例を図示する。
【図５Ｂ】図２のシステムおよび図３の方法の別の実施例を図示する。
【発明を実施するための形態】
【０００９】
本発明を、本発明の例示的な実施形態を示す添付図面を参照して下文により完全に記述する。しかしながら、本発明は、多くの異なる形態において具体化でき、本明細書に説明する実施形態に限定されるようには解釈されるべきではない。むしろ、これらの例示的な実施形態は、本開示が詳細なものであり、本発明の範囲を当業者に十分に伝えるように提供される。本開示の目的のために、「各々の少なくとも一つ」は、それぞれの言語に続く複数の列挙された要素の組み合わせを含む、列挙された要素の任意の組み合わせを意味するように判断されると理解される。例えば、「Ｘ、ＹおよびＺの少なくとも一つ」は、Ｘのみ、Ｙのみ、Ｚのみ、または二つ以上の部材Ｘ、ＹおよびＺの任意の組み合わせ（例えば、ＸＹＺ、ＸＺ、ＹＺ、Ｘ）を意味するように解釈される。図面および詳細な説明の至るところで、別の記述がない限り、図面における同じ参照数字が、同じ要素、特徴および構造を指すことが理解される。これらの要素の相対的サイズおよび描写は、明確さおよび図示のため、そして便益上拡大され得る。
【００１０】
電子システムの操作者に情報を与えることによって、操作者は、より強固かつ動的な方法で電子システムに関与する。操作者は、文章または図形などの表示された情報に基づいて、電子システムまたは概して周囲状況にいかにして関与するかについての案内された決定を為すことができる。
【００１１】
例えば、電子システムが車両に嵌め込まれるまたは組み込まれると、電子システムに関連する情報を視覚情報によって運転手または乗客に伝達できる。それ故に、運転手または乗客は、ディスプレイに示された表示に基づいて、車両の運転を修正できる。
【００１２】
車両ディスプレイは、安全情報または案内情報を提供できる。従って、車両ディスプレイは、危険な道路状況、前進するための指示、または車両の運転に関連する特定の他の情報を車両の運転者に警告できる。
【００１３】
特定の場合では、一つの位置に複数のディスプレイを据え付けることができる。例えば、車両の文脈に依存して、以下の位置にディスプレイを実装できる。すなわち、ヘッドアップディスプレイ（ＨＵＤ）、運転席ディスプレイ、車両に関連するさまざまなミラーおよび電子機器に位置付けられたまたは一体化されたディスプレイを実現できる。
【００１４】
これらの状況では、車両運転者の頭部および／または視線方向は、第一のディスプレイのある第一の方向に向けられることがあり、そして車両の運転者が向いていない方向における第二のディスプレイに情報が表示され得る。それ故に、車両の運転者は、視線を異なる方向に向けているため、第二のディスプレイに関連する情報を見逃すことがある。
【００１５】
検出した向きに基づいてディスプレイを調節するためのシステムおよび方法を本明細書に開示する。本明細書に開示する態様によれば、電子システムとともに複数のディスプレイを実装する状況において、状況に応じて情報を調節できる。従って、電子システムに関連する運転者に、重大なまたは重要な情報を警告できる。情報が重大でない状況でさえも、本明細書に開示するシステムの実施者は、情報に関連する優先度を指定し、それ故に、最高の優先度である情報を車両の運転者に表示できる。
【００１６】
本明細書に開示する態様は、運転者の注意の向きを決定するために注視追跡または頭部追跡のいずれかを利用する。それ故に、注視追跡および頭部追跡によって、運転者の注意が向けられている方向を決定し、優先度がより高い情報が注視されているディスプレイに向けられるようにディスプレイを調節する。
【００１７】
図１は、例示のコンピュータ１００を図示するブロック図である。コンピュータ１００は、チップセット１０４に連結された少なくとも一つのプロセッサ１０２を含む。チップセット１０４は、メモリコントローラハブ１２０および入出力（Ｉ／Ｏ）コントローラハブ１２２を含む。メモリ１０６およびグラフィックスアダプタ１１２がメモリコントローラハブ１２０に連結され、グラフィックスアダプタ１１２にはディスプレイ１１８が連結される。Ｉ／Ｏコントローラハブ１２２には、記憶装置１０８、キーボード１１０、ポインティングデバイス１１４、およびネットワークアダプタ１１６が連結される。コンピュータ１００の他の実施形態は、種々のアーキテクチャを有することができる。
【００１８】
記憶装置１０８は、ハードドライブ、コンパクトディスクリードオンリーメモリ（ＣＤ−ＲＯＭ）、ＤＶＤ、または固体メモリ素子などの非一時的コンピュータ可読ストレージ媒体である。メモリ１０６は、プロセッサ１０２によって使用される指示およびデータを保持する。ポインティングデバイス１１４は、マウス、トラックボール、または他のタイプのポインティングデバイスであり、データをコンピュータ１００に入力するためにキーボード１１０と組み合わせて使用される。ポインティングデバイス１１４は、ゲームシステムコントローラでもよいし、ゲームシステムの制御に使用される任意のタイプの装置でもよい。例えば、ポインティングデバイス１１４は、映像または画像取得装置に接続できる。この装置は、生体認証スキャンを利用して特定のユーザを検出する。特定のユーザは、動作またはジェスチャを利用して、ポインティングデバイス１１４に、コンピュータ１００のさまざまな態様の制御を命令できる。
【００１９】
グラフィックスアダプタ１１２は、ディスプレイ１１８に画像および他の情報を表示する。ネットワークアダプタ１１６が、コンピュータシステム１００と１つ以上のコンピュータネットワークとを連結する。
【００２０】
コンピュータ１００は、本明細書に記述する機能性を与えるためのコンピュータプログラムモジュールを実行するように適応される。本明細書に使用する用語「モジュール」は、特定された機能性を与えるために使用されるコンピュータプログラム論理を指す。従って、モジュールは、ハードウェア、ファームウェアおよび／またはソフトウェアにおいて実施できる。一実施形態では、プログラムモジュールは、記憶装置１０８に保存され、メモリ１０６にロードされ、プロセッサ１０２によって実行される。
【００２１】
本明細書に開示する存在物およびプロセスに使用されるコンピュータのタイプは、実施形態および存在物によって要求される処理能力に応じて変えることができる。コンピュータ１００は、モバイルデバイス、タブレット、スマートフォン、または前にリストした要素を備えた任意の種類のコンピュータの要素でもよい。例えば、ハードディスク、固体メモリまたは固体記憶装置などのデータ記憶装置を、本明細書に記述する機能性を与えるように共に働く複数のブレードサーバを備えた分散型データベースシステム内に格納できる。コンピュータは、キーボード１１０、グラフィックスアダプタ１１２、およびディスプレイ１１８などの前述の構成要素のいくつかを欠いていてもよい。
【００２２】
コンピュータ１００は、本明細書に開示するコンテンツ共有サービスのためのサーバ（図示せず）として機能できる。コンピュータ１００は、サーバを作成するための他のコンピュータ１００装置と集団になることができる。
【００２３】
図２は、検出した向きに基づいてディスプレイを調節するためのシステム２００の例である。システム２００は、方位検出器２１０、情報入力受信機２２０、ディスプレイセレクタ２３０、およびディスプレイドライバ２４０を含む。システム２００は、通信バス２５０を介してさまざまな他の電子システムと通信する。通信バス２５０は、双方向の信号伝搬が可能な有線通信媒体でも無線通信媒体でもよい。それ故に、システム２００、およびシステム２００に関連する装置のさまざまな態様は、通信バス２５０に通信するかつそこから通信される信号によって制御できる。システム２００は、コンピュータ１００によって実施できる。
【００２４】
図２を参照するように、システム２００は電子システム２６０に連結できる。前に説明したように、電子システム２６０は、車両の運転２６１、家庭２６２、または消費者の電子デバイス２６３などのさまざまなシステムに関連できる。電子システム２６０に加えて、その上、さまざまなディスプレイを備えることができる。ディスプレイ２７０および２８０などのディスプレイを、ユーザ環境のさまざまな部分に位置させることができる。二つのディスプレイを示す。しかしながら、システム２００の実施者は、実施の好みに応じて、より多いまたは少ない数のディスプレイを備えた電子システムを実施できる。
【００２５】
図２に、注視追跡装置２９０および頭部追跡装置２９５も示す。システム２００の実施では、注視追跡装置２９０もしくは頭部追跡装置２９５またはそれらの両方を組み込むことができる。注視追跡装置２９０および頭部追跡装置２９５は、電子システム２６０の操作者に関連する向きまたは方向を決定するように働くことができる。あるいは、システム２００は、操作者の方向または注意の決定に利用される任意の種類の技術とともに実施できる。
【００２６】
図２に示すように、注視追跡装置２９０および頭部追跡装置２９５は、個々のかつ互いとは異なる装置として示す。しかしながら、注視追跡装置２９０および頭部追跡装置２９５は、一つのユニットとして一体化できる。従って、共通の画像または映像取得装置を共有する。
【００２７】
注視追跡装置２９０は、電子システム２６０の操作者に関連する画像または映像を取得し、画像または映像を処理して操作者の眼球を確認する。注視追跡装置２９０は、眼球の画像または映像に基づいて、眼球の注目に関連する方向を確認できる。
【００２８】
頭部追跡装置２９５は、注視追跡装置２９０と類似して動作するが、ただし、操作者の頭部の画像または映像を利用する。検出した頭部の角度に基づいて、操作者の注意方向を取得できる。
【００２９】
方位検出器２１０は、電子システム２６０の操作者の方向または向きに関する、注視追跡装置２９０または頭部追跡装置２９５のいずれかからの表示を受信する。方位検出器２１０は、電子システム２６０の操作者に関連する情報を、所定の時間間隔で受信するように構成できる。それ故に、電子システム２６０の操作者が頭部を横方向またはさまざまな位置に動かすと、方位検出器２１０は、操作者が向いた方向を確認できる。
【００３０】
別の例では、方位検出器２１０は、向けられたディスプレイからの距離を決定できる。例えば、方位検出器２１０は、リアルタイムまたは所定の時間間隔において、観察者とディスプレイとの間の物理的距離を追跡できる。
【００３１】
情報入力モジュール２２０は、電子システム２６０から情報を取得してディスプレイ２７０またはディスプレイ２８０などのディスプレイの一つに表示する。情報入力モジュール２２０は、本明細書に開示する態様によれば、永続的格納を相互参照し、ルックアップテーブルを利用して、表示される情報の優先度が表示するのに十分に高いか否かを確認できる。ルックアップテーブル２０６は、特定の情報が他の情報よりも優先度が高くて表示すべきか否かを記録できる。各情報タイプに関連する優先度は、システム２００の実施者が事前に定義できる。
【００３２】
情報には、距離に基づく修正に関連する情報にも拡張してもよい。それ故に、情報の種々のレンダリングまたは情報量を、ディスプレイからの距離に基づいて観察者に表示できる。この例に関するシステム２００の実施例を、図５Ａおよび図５Ｂにおいて以下に示す。
【００３３】
ディスプレイセレクタ２３０は、（方位検出器２１０に基づいて）最も近い利用可能なディスプレイを操作者の注意に相関させ、操作者の注意に関連するディスプレイを記録する。それ故に、操作者が特定のディスプレイまたはその近辺を向いている場合には、ディスプレイセレクタ２３０は、そのディスプレイを選択されたディスプレイとして記録できる。方位検出器２１０が所定の時間間隔において更新される場合には、操作者の注意が向けられた最も近いディスプレイを、それに応じて更新できる。図２を参照するように、例えば、ディスプレイセレクタ２３０は、ディスプレイ２７０またはディスプレイ２８０のいずれかを選択できる。
【００３４】
追加的にまたは代替的に、ディスプレイセレクタ２３０は、一つだけのディスプレイの特定の部分のみ（例えば、ディスプレイ２７０の上部または底部）を動作させることができる。それ故に、ディスプレイセレクタ２３０は、検出した向きに基づいて、複数の配列されたディスプレイのうちの一つではなく、単一のディスプレイの一部分を選択できる。
【００３５】
ディスプレイドライバ２４０は、レンダリングされた情報を選択されたディスプレイ（例えば、ディスプレイ２７０またはディスプレイ２８０）に表示するか否かを決定する。ディスプレイドライバ２４０は、全ての情報もしくは情報の一部を選択されたディスプレイに表示する、または情報を全く表示しないことを選択できる。
【００３６】
システム２００の別の実施では、ディスプレイドライバ２４０は、向けられたディスプレイからの検出された距離に基づいて、種々の量の情報をレンダリングできる。例えば、ディスプレイ２７０の観察者がそこに近づくまたはそこから離れるように動くと、距離の変化に従い画像をレンダリングできる。システム２００のこの実施では、一つだけのディスプレイが実施され得、ディスプレイセレクタ２３０を削除できる。別の例では、この実施を前述の例と組み合わせることができる。
【００３７】
本明細書に開示する態様によれば、表示される情報の優先度を事前に定義できる。それ故に、所定の閾値を超える情報を、それ相応に選択されたディスプレイに通信できる。
【００３８】
例えば、本明細書に開示する態様によれば、システム２００が車両内に実装される場合には、特定の情報を、運転手が注視しているまたは向いているディスプレイに伝送するほど十分に重要であるとみなすことができる。車両に対して検出された異物などの安全情報項目は、重要とみなされ、従って、選択されたディスプレイに表示するよう伝送できる。反対に、十分には重要でないとみなされた情報（例えば、その時のラジオ放送局）は、選択されたディスプレイに伝送しないようにできる。
【００３９】
図３は、検出した向きに基づいてディスプレイを調節するための例示の方法３００である。方法３００は、システム２００などの装置またはシステムにおいて実施できる。
【００４０】
工程３１０において、方法３００の実施に関連する操作者の検出した向きを得る。前に説明したように、向きの検出は、注視追跡または頭部追跡を通じるなどの幾多の技術によって達成できる。さらに、向きの検出によって、ディスプレイの観察者の画面からの距離を決定できる。
【００４１】
検出した向きが変化していない場合には、工程３１５において、工程３１０の繰り返しの実行に関する所定の時間間隔を設定できる。工程３１５は、選択的に工程３１０に加えられ、本明細書に開示する他の工程と並行して起こることができる。
【００４２】
工程３２０において、方法３００に関連するディスプレイの一つに伝送された情報を受信する。情報は、ディスプレイに表示する情報の重大度または優先度を確定するための優先度または他の拡張された情報を含み得る。例えば、方法３００が車両において実施される場合には、安全および案内に関連する情報を、娯楽システムに関連する情報と対比して、より高い優先度に設定できる。
【００４３】
工程３３０において、方法３００に関連する操作者が注意を向けているディスプレイが選択される。この選択は、工程３１０において確定された情報を用いて実行できる。
【００４４】
工程３４０において、工程３２０において受信した情報を解析し、優先度が所定の閾値を超えるか否かを決定し、工程３３０において選択されたディスプレイに表示する。
【００４５】
別の実施では、画面からの検出した距離に基づいて情報を異なってレンダリングできる。例えば、観察者が画面により近い場合には、より大きな範囲の情報を表示できる。
【００４６】
図４Ａ〜図４Ｃは、システム２００および方法３００の実施例を図示する。図４Ａ〜図４Ｃでは、システム２００および方法３００が車両４００において実施される。車両の文脈は、単に例示的なものであり、当業者は、複数のディスプレイおよび方位検出器が実装される幾多のシステムにおいて本明細書に開示する態様を実施する。
【００４７】
図４Ａ〜図４Ｃにおけるさまざまなディスプレイは、車両が異物に近づいていることを表す情報４５０を表示する。以下に表現する情報４５０は、単に例示的なものであり、システム２００の実施者は、本明細書に開示する態様に従う調節を受けるために、情報のカテゴリまたはタイプを選択的に事前に決定する。
【００４８】
図４Ａに示すように、車両４００は、これらに限定されないが、運転席側ミラー４１０、運転席４２０、およびヘッドアップディスプレイ（ＨＵＤ）４３０を含む複数のディスプレイを有する。さまざまなディスプレイを、システム２００に連結された同様のディスプレイドライババスに接続できる。図４Ａでは、運転手４４０は、現在、運転席４２０を注視している。それ故に、運転席４２０に情報４５０が表示される。システム２００は、画像取得装置を利用して運転手４４０の注意の向きを取得する。画像取得装置は、車両内のどこにでも位置でき、従って、運転手４４０の眼球または頭部を捕らえることができる。それ故に、画像取得装置を、注視追跡装置２９０もしくは頭部追跡装置２９５または両方に連結できる。
【００４９】
図４Ｂに示す例では、運転手４４０は、現在、ＨＵＤ４３０を注視している。それ故に、本明細書に開示する態様を利用すれば、ＨＵＤ４３０に情報４５０が表示される。
【００５０】
図４Ｃでは、運転手４４０は、なおもＨＵＤ４３０を向いているが、ＨＵＤ４３０の別の部分（図４Ｂに示すものとは異なる部分）を向いている。本明細書に開示する態様を利用すれば、ＨＵＤディスプレイのうちの運転手４４０が向いている部分に情報４５０が表示される。
【００５１】
図５Ａおよび図５Ｂは、システム２００および方法３００の実施例を図示する。図５Ａおよび図５Ｂでは、システム２００および方法３００は、車両４００において実施できる。
【００５２】
図５Ａでは、操作者４４０は、燃料計５３０の第一の状態を見ている。第一の状態５３０は、操作者４４０の燃料計５３０からの検出された距離５１０に基づいてレンダリングされる。例えば、方位検出器２１０は、注視の角度または操作者４４０の頭部の傾きから距離５１０を確定できる。それ故に、検出された距離５１０に基づいた一定量のデータを提供するために、第一の状態５３０を所定のＧＵＩ要素を用いてレンダリングできる。
【００５３】
図５Ｂでは、操作者４４０は、現在、ディスプレイから第二の距離５２０にいる。それ故に、本明細書に開示する態様を利用すれば、燃料計の第二の状態５４０がここで表示される。示すように、第二の状態５４０が示す情報は、第一の状態５３０よりも粒度が大きい。システム２００の実施者は、ディスプレイからの所定の距離に基づいて粒度を設定できる。
【００５４】
したがって、本明細書に開示する態様に基づいて、方位検出技術を利用して、複数の表示システムの操作者には、システムと相互作用する強固な技術が与えられる。それ故に、より安全かつ効率的な方法によるシステムへの関与が実現できる。
【００５５】
本発明の本質または範囲から逸することなく、さまざまな変更および変化を本発明に為せることが当業者に明らかである。したがって、本発明が、添付の請求項およびその均等物の範囲内に提供される本発明の変更および変化を含むことが意図される。
【図１】
2015161947.tif 000003
【図２】
2015161947.tif 000004
【図３】
2015161947.tif 000005
【図４Ａ】
2015161947.tif 000006
【図４Ｂ】
2015161947.tif 000007
【図４Ｃ】
2015161947.tif 000008
【図５Ａ】
2015161947.tif 000009
【図５Ｂ】
2015161947.tif 000010